(57)【要約】【課題】扉の開度規制を簡単に解除できるようにする。【解決手段】被取着体２ａと、被取着体２ａに揺動自在に取着された扉９と、被取着体２ａと扉９の間に設けられて扉９の開度を規制する開度規制装置１６とを備え、開度規制装置１６は、扉９に取着されて一方の係合部を有する弾性板１７と、被取着体２ａに取着されて一方の係合部１９と係合する他方の係合部２０を有する停止具１８とを備え、弾性板１７は、外部からの変形操作で弾性変形して一方の係合部１９が、扉９の開度規制のために他方の係合部２０に係合できる係合可能状態から他方の係合部２０と係合しない非係合状態まで変位でき、変形操作を解除することで係合可能状態へ弾性復帰できる。【選択図】  図２
2006200218.tif 000002
【特許請求の範囲】
【請求項１】
被取着体と、被取着体に揺動自在に取着された扉と、被取着体と扉の間に設けられて扉の開度を規制する開度規制装置とを備えた扉の開度規制機構において、前記開度規制装置は、扉に取着されて一方の係合部を有する弾性板と、被取着体に取着されて一方の係合部と係合する他方の係合部を有する停止具とを備え、該弾性板は、外部からの変形操作で弾性変形して一方の係合部が、扉の開度規制のために他方の係合部に係合できる係合可能状態から他方の係合部と係合しない非係合状態まで変位でき、該変形操作を解除することで係合可能状態へ弾性復帰することを特徴する扉の開度規制機構。
【請求項２】
前記弾性板は、前記扉の揺動中心線と直交する仮想平面に沿って延びる帯状の板バネ部を備え、該仮想平面に沿って前記一方の係合部が変位する請求項１記載の扉の開度規制機構。
【請求項３】
前記一方の係合部は、ローラを有し、扉が開くときに、該ローラが前記被取着体に接触して転動しながら他方の係合部に係合する請求項２記載の扉の開度規制機構。
【請求項４】
前記弾性板は、一方の係合部が、前記扉の揺動中心線を含む仮想平面に沿って変位できる請求項１記載の扉の開度規制機構。
【請求項５】
請求項１，２，３又は４記載の扉の開度規制機構を備えた照明装置であって、前記被取着体は、前記扉で開閉する手前側の開口部より内部に光源を設け、前記扉は、透光部を有する透光調整具を備え、前記被取着体の内部に透光調整具の透光部を隠蔽する押込み位置と、前記被取着体の手前側に露出させた透光調整具の透光部で前記被取着体の開口部の手前側を覆って開度規制する突出位置との間を揺動できると共に、前記両係合部の係合を解除することで、前記被取着体の開口部の手前側に透光調整具で覆わない開口域を形成する開度規制外位置まで揺動できることを特徴とする照明装置。
【請求項６】
前記透光調整具は、第一の透光部及び第二の透光部を備え、前記扉が押込み位置にあるときに、第一の透光部が前記被取着体の手前側に露出して前記被取着体の開口部を覆うと共に、第二の透光部が前記被取着体の内部に隠蔽され、前記扉が突出位置にあるときに、第二の透光部が前記被取着体の手前側に露出する請求項５記載の照明装置。
【請求項７】
前記扉は、前記突出位置に停止しているときに、前記被取着体の開口部との間に形成した隙間を介して、前記被取着体の外部から前記弾性板に対する前記変形操作をできるようにした請求項５又は６記載の照明装置。
【発明の詳細な説明】
【技術分野】
【０００１】
本発明は、キャビネット本体等の被取着体へ揺動自在に取着した扉の開度を規制する機構及びこの機構を備えた照明装置に関するものである。照明装置は、ミラーキャビネットや水屋、食器棚等を照明するためのものである。
【背景技術】
【０００２】
キャビネット本体等の被取着体へ揺動自在に取着した扉の開度を規制する機構には、特許文献１に記載された四節回転機構からなるものがある。この扉の開度規制機構は、被取着体と、被取着体へ揺動自在に取着した扉と、扉に回動自在に一端を連結したアームと、被取着体に回動自在に連結してアームを摺動自在に案内する挿通孔を有するガイドと、アームの他端側に着脱可能に取着したストッパーとを備え、開く方向へ揺動する扉と共に移動するストッパーがガイドに当接することで扉の移動を停止させて開度規制を行うようにしたものである。
【０００３】
ミラーキャビネットの照明装置としては、特許文献２に記載されたものがある。この照明装置は、鏡の一部領域を揺動式の開閉扉とし、開閉扉の裏面側に光源を設け、開閉扉を任意の角度に開けることで光源を前面側へ出没可能とし、照明の方向や光量を変化させるようにしている。
【０００４】
【特許文献１】実開平１−１４２７９１号公報
【特許文献２】実開平１−１６８９１２号公報
【発明の開示】
【発明が解決しようとする課題】
【０００５】
特許文献１に記載の開度規制機構は、扉を開度規制位置から更に開ける必要があるときには、アームの他端側からストッパーを取り外すと共にガイドの挿通孔からアームを抜き出し、その後に開度規制できる状態に戻すときには、ガイドの挿通孔へアームを差し込むと共にアームの他端側にストッパーを取り付ける必要があり、ストッパーの着脱や、アームの抜き差しに手間を必要とする欠点がある。
【０００６】
特許文献２に記載の照明装置は、光源が露出するために、見栄えが悪く眩しいことがある。そこで、キャビネット内部に光源を設けると共に開閉扉に照明カバーを設けことが考えられるが、光源を照明カバーで覆う範囲で開閉扉を開閉できるようにすると共に、光源の交換等のために光源を照明カバーで覆わない位置まで開閉扉を更に開けることができるようにする課題が生じる。
【０００７】
本発明は従来の前記問題や課題を解決するものであって、扉を開度規制位置から更に開けるときに簡単に開度規制を解除できる扉の開度規制機構を提供すると共に、この扉の開度規制機構を用いた照明装置を提供せんとするものである。
【課題を解決するための手段】
【０００８】
扉の開度規制を簡単に解除できるようにするために本発明が採用した請求項１の手段は、被取着体と、被取着体に揺動自在に取着された扉と、被取着体と扉の間に設けられて扉の開度を規制する開度規制装置とを備えた扉の開度規制機構において、前記開度規制装置は、扉に取着されて一方の係合部を有する弾性板と、被取着体に取着されて一方の係合部と係合する他方の係合部を有する停止具とを備え、該弾性板は、外部からの変形操作で弾性変形して一方の係合部が、扉の開度規制のために他方の係合部に係合できる係合可能状態から他方の係合部と係合しない非係合状態まで変位でき、該変形操作を解除することで係合可能状態へ弾性復帰することを特徴する扉の開度規制機構である。
【０００９】
解除操作が簡単にできるように本発明が採用した請求項２の手段は、前記弾性板は、前記扉の揺動中心線と直交する仮想平面に沿って延びる帯状の板バネ部を備え、該仮想平面に沿って前記一方の係合部が変位する請求項１記載の扉の開度規制機構である。
【００１０】
開度規制のための係合動作が円滑に行えるように本発明が採用した請求項３の手段は、前記一方の係合部は、ローラを有し、扉が開くときに、該ローラが前記被取着体に接触して転動しながら他方の係合部に係合する請求項２記載の扉の開度規制機構である。
【００１１】
嵩張らずに小型化できるようにするために本発明が採用した請求項４の手段は、前記弾性板は、一方の係合部が、前記扉の揺動中心線を含む仮想平面に沿って変位できる請求項１記載の扉の開度規制機構である。
【００１２】
光源を覆う範囲で扉を開閉できるようにすると共に、光源の交換等のために光源を覆わない位置まで扉を更に開けることができるようにするために本発明が採用した請求項５の手段は、請求項１，２，３又は４記載の扉の開度規制機構を備えた照明装置であって、前記被取着体は、前記扉で開閉する手前側の開口部より内部に光源を設け、前記扉は、透光部を有する透光調整具を備え、前記被取着体の内部に透光調整具の透光部を隠蔽する押込み位置と、前記被取着体の手前側に露出させた透光調整具の透光部で前記被取着体の開口部の手前側を覆って開度規制する突出位置との間を揺動できると共に、前記両係合部の係合を解除することで、前記被取着体の開口部の手前側に透光調整具で覆わない開口域を形成する開度規制外位置まで揺動できることを特徴とする照明装置である。
【００１３】
使用状態に応じた最適な光量を選択できるようにするために本発明が採用した請求項６の手段は、前記透光調整具は、第一の透光部及び第二の透光部を備え、前記扉が押込み位置にあるときに、第一の透光部が前記被取着体の手前側に露出して前記被取着体の開口部を覆うと共に、第二の透光部が前記被取着体の内部に隠蔽され、前記扉が突出位置にあるときに、第二の透光部が前記被取着体の手前側に露出する請求項５記載の照明装置である。
【００１４】
開度規制の解除操作が簡単にできるように本発明が採用した請求項７の手段は、前記扉は、前記突出位置に停止しているときに、前記被取着体の開口部との間に形成した隙間を介して、前記被取着体の外部から前記弾性板に対する前記変形操作をできるようにした請求項５又は６記載の照明装置である。
【発明の効果】
【００１５】
請求項１の発明にあっては、扉が開くに伴い、扉と共に係合可能状態の弾性板が移動して両係合部が係合状態になると扉の回動が規制され、外部から弾性板を変形操作して非係合状態まで弾性板が変形すると両係合部の係合状態を解除して扉を更に開くことができ、そして、弾性板を変形操作しつつ両係合部の係合が可能な位置まで扉を閉じ、変形操作を解除すると弾性板が係合可能状態に弾性復帰して扉の開度を規制する状態にできるので、両係合部を係合可能な状態に自動的に戻すことができる。
【００１６】
請求項２の発明にあっては、帯状の板バネ部を変形操作することで非係合状態へ簡単にできる。
【００１７】
請求項３の発明にあっては、ローラが被取着体に接触して転動しながら他方の係合部に係合するので開度規制のための係合動作が円滑に行える。
【００１８】
請求項４の発明にあっては、扉の揺動中心線を含む仮想平面に沿って弾性板を変位できるようにしてあるため、弾性板を嵩張らずに小型化が可能である。
【００１９】
請求項５の発明にあっては、開度規制機構により扉を突出位置で停止させることができるので、通常の使用状態では、扉を開け過ぎないように最大投光量まで一気に開放することができると共に、弾性板を変形操作して両係合部の係合を解除することで、光源等のメンテナンスを行うことが可能である。
【００２０】
請求項６の発明にあっては、扉が押込み位置のときであっても第一の透光部から光源の光が前面側へ照射され、使用者にとって眩しくない照明が行われ、また扉が突出位置にあるときには、透光調整具の露呈する領域が拡大して手前側へ多くの光量を照射されるようになり、使用状態に応じた最適な光量を選択することが可能である。
【００２１】
請求項７の発明にあっては、突出位置に停止している扉と被取着体の開口部との間に形成した隙間を介して被取着体の外部から弾性板に対する変形操作を行うことで、開度規制の解除操作が簡単にできる。
【発明を実施するための最良の形態】
【００２２】
以下に、本発明の構成を図面に示す発明の実施の形態に基づいて説明すると次の通りである。
【００２３】
（第１の実施の形態）
図１乃至図８は本発明を洗面化粧台１のミラーキャビネット２へ適用した第１の実施の形態に係るものである。図１の図（Ａ）は洗面化粧台１の正面図、図（Ｂ）は同側面図、図（Ｃ）は中央の扉８及び左右の扉９，９を閉じたときのミラーキャビネット２の平面図、図（Ｄ）は同開けたときの平面図である。図２の図（Ａ）は収納庫の扉８及び照明装置３４の扉９を閉じたときのミラーキャビネット２の一部を示す横断面平面図であり、図（Ｂ）は扉８，９の中間省略した正面図である。図３の図（Ａ）は扉９の横断面平面図、図（Ｂ）は同側面図、図（Ｃ）は同分解した横断面平面図である。図４の図（Ａ）は扉の開度規制装置の停止具１８の拡大した平面図、図（Ｂ）は同拡大した側面図である。図５の図（Ａ）は照明装置３４の扉９を開けたときのミラーキャビネット２の一部を示す横断面平面図であり、図（Ｂ）は扉８，９の中間省略した正面図である。図６は照明装置３４の扉９を開度規制位置から開度規制外位置まで更に開けたときのミラーキャビネット２の一部を示す横断面平面図である。図７は扉９の開度規制を解除操作している状態を示す斜視図である。図８は扉９の開度規制を解除した状態を示す一部破断した斜視図である。
【００２４】
洗面化粧台１は、図１に示す如く、洗面キャビネット６の上面側に洗面器７が配設されており、その奥部には壁面に密着して取り付けられるミラーキャビネット２が載置固定されている。ミラーキャビネット２は、主鏡３が中央に配設されており、その両サイドに副鏡４Ａ，４Ｂが配設されている。これらの各鏡３，４Ａ，４Ｂは、それぞれミラーキャビネット２の開口部２ｂを覆う扉８及び９の表面側に備えられており、各扉８及び９は縦方向の一端側を枢軸として揺動方式で開閉自在となっている。そして、中央の扉８の背面側は消耗品や小物品等の収納空間２８となっており、左右の扉９，９の背面側は蛍光灯等の光源１２の設置空間２９となっている。ミラーキャビネット２は、光源１２及び扉９からなる照明装置３４を左右に備え、収納空間２８及び扉９からなる収納庫を中央に備えている。収納庫の扉８は、本実施例では、揺動自在に軸支した基板部１１に主鏡３を取り付けてある。なお、ミラーキャビネット２は、左右いずれか一方の照明装置３４のみを備えることもある。
【００２５】
前記照明装置３４の扉９は、図２に示す如く、押込み位置で手前側へ露出している第一の扉部９ａと、突出位置（図５及び図６の状態）でミラーキャビネット本体の手前側へ露出する第二の扉部９ｂとで形成されており、しかも両扉部９ａ，９ｂが第一の透光部１４又は第二の透光部１５を有しているので、押込み位置のときであっても前記第一の透光部１４から光源１２の光が前面側へ照射され、使用者にとって眩しくない照明が行われるようになっている。本実施例の扉９は、基板部１０の主鏡３寄りに透光調整具１３が取り付けられている。また扉９は、図示省略したが、基板部１０の主鏡３寄りの一部（例えば、上下の小口板部の間又は縦方向の中間）を切除し、切除部に透光調整具１３を取り付けることもある。透光調整具１３は、副鏡４Ａ，４Ｂと面一の表面側に露呈して位置する第一の透光部１４と、内部の湾曲面状に形成された第二の透光部１５とで構成されている。つまり、透光調整具１３は、第一の扉部９ａの第一の透光部１４と、第二の扉部９ｂの第二の透光部１５とを兼用している。その光を透過する度合いは、光源１２の明るさ等を考慮して決定されるようになっており、第一の透光部１４と第二の透光部１５の板厚みを変えたり、材料を変えることで実現可能である。第二の透光部１５は、適度の弾性を有し、扉９が突出位置（図５の状態）のときに、ミラーキャビネット本体の手前側へ露出しないで設置空間２９内に位置する縁部１５ａを後述する区画板３１に弾性力で圧接させて、区画板３１との間に光が漏れ出す隙間を形成しないようになっている。
【００２６】
前記ミラーキャビネット２は、図２に示す如く、扉９が取着する被取着体であるミラーキャビネット本体２ａと各扉９の間に、各扉９の開度を規制する開度規制装置１６が設置されている。開度規制装置１６は、扉９に一端側が取着されて他端側に一方の係合部１９を有する弾性板１７と、ミラーキャビネット本体の収納空間２８と光源１２の設置空間２９との間を区画する区画板３１に取着され、一方の係合部１９と係合する他方の係合部２０を有する停止具１８とを備えている。弾性板１７は、長尺の一枚のプラスチック板やバネ鋼板等の板材から成形され、その先端に形成した軸受部１９ａ（図３（Ｂ）及び図８参照）にローラ１９ｂ，１９ｂが回動自在に取り付けられており、その途中に幅広部分が形成された解除手段１７ａが設けられている。
【００２７】
前記停止具１８は、図４及び図５に示す如く、他方の係合部２０が、一方の係合部１９の軸受部１９ａと係合する手前側のフック部２０ａと、一方の係合部１９のローラ１９ｂ，１９ｂが乗り越える奥側の山型突起部２０ｂ，２０ｂとを備えている。フック部２０ａは、扉９が手前側へ開くのを規制するものであり、突起部２０ｂ，２０ｂは、蝶番３２の弾性復帰力で閉まる方向へ付勢されている扉９が揺動するのを規制するものであって、蝶番３２の弾性復帰力で扉９の閉まる方向へ移動しようとするローラ１９ｂ，１９ｂが係合し、また、蝶番３２の弾性復帰力より更に強い力で使用者が扉９の閉まる方向へ強制操作したときに、ローラ１９ｂ，１９ｂが乗り越えるように形成してある。なお、弾性復帰力のない蝶番３２を用いた場合であっても、停止具１８は、他方の係合部２０に突起部２０ｂ，２０ｂを備えることで、開度規制位置に一方の係合部１９を停止させて扉９の揺動を規制することができる。
【００２８】
前記一方の係合部１９は、扉９が開閉するきに、ローラ１９ｂ，１９ｂがミラーキャビネット２の区画板３１に接触して転動すると共に山型の突起部２０ｂ，２０ｂに転動しながら乗り越えることで、開度規制のための係合動作とその解除動作とが円滑に行えるようになっている。
【００２９】
前記弾性板１７は、図５に示す如く、前記扉９の揺動中心線と直交する仮想平面（本例は水平面）に沿って延びる帯状の板バネ部１７ｂを備え、仮想平面に沿って一方の係合部１９が変位するようになっている。弾性板１７は、解除手段１７ａ（図３の図（Ｂ），図８参照）に対する外部からの変形操作で弾性変形して一方の係合部１９が、扉９の開度規制のために他方の係合部２０に係合できる係合可能状態（図５の図（Ａ）参照）から他方の係合部２０と係合しない非係合状態（同図の二点鎖線で示す状態）まで変位でき、解除手段１７ａに対する該変形操作を解除することで係合可能状態へ弾性復帰できるようになっている。
【００３０】
前記開度規制装置１６は、図５に示す如く、扉９が開くに伴い、扉９と共に係合可能状態の弾性板１７が移動して両係合部１９，２０が係合状態になると扉９の揺動が規制され、図７及び図８に示すように外部から弾性板９の解除手段１７ａ（図３の図（Ｂ），図８参照）に対する変形操作で非係合状態まで弾性板１９が変形すると両係合部１９，２０の係合状態を解除して図６に示すように扉１９を更に開くことができ、そして、弾性板１９を変形操作しつつ両係合部１９，２０の係合が可能な位置まで扉１９を閉じ、逆に、解除手段１７ａに対する変形操作を解除すると弾性板１７が係合可能状態に弾性復帰して扉９の開度を規制する状態にできる。
【００３１】
前記停止具１８は、図４及び図５に示す如く、半円状の案内具３３，３３を併設し、扉９の開閉にともない移動する第二の透光部１５を案内具３３，３３で案内して、他方の係合部２０に第二の透光部１５を接触させないようにしてある。なお、案内具３３は、停止具１８と別体に形成して、区画板３１に取着することもある。
【００３２】
次に、以上のように構成された照明装置３４を備えたミラーキャビネット２の使用態様を説明する。先ず、図１の図（Ａ）〜図（Ｃ）及び図２の図（Ａ），（Ｂ）に示すように、扉８及び９が閉じられている押込み位置にあるときは、その手前側に取り付けられた主鏡３とその左右の副鏡４Ａ，４Ｂとは面一状態であり、鏡面を幅広く使用することが可能である。このとき、左右の照明装置３４，３４は、光源１２，１２の光が、主鏡３と、その左右の副鏡４Ａ，４Ｂとの間の第一の透光部１４，１４を通じて表面側へ照射され、主鏡３の前へ立った使用者を照明することができる。このときの透光量は、最小透光量であり、眩しいものではない。
【００３３】
そして、この状態から更に光量を増加させたい場合は、図５に示すように、照明装置３４の扉９を手前側へ引き出し、所望する光量が得られる開度規制位置まで開ける。これにより、光源１２の光が透光調整具１３の第一の透光部１４及び第二の透光部１５から正面側へ照射され、主鏡３の前の使用者を照明するようになる。このように第一の透光部１４，１４とこれに連続する第二の透光部１５，１５とから光源１２，１２の光が主鏡３の前の使用者に対して照射されるので、化粧等を行うに際して十分な光量を得ることが可能であり、また光量を使用者が任意に設定することが可能である。なお、各照明装置３４は、扉９を、開度規制装置１６の一方の係合部１９が他方の係合部２０に係合する位置まで開いた突出位置のときが最大透光量の位置である。またこのとき、扉９は、基板部１０と透光調整具１３で囲まれた上下端面側は自由空間Ｓとなっており、同図の図（Ｂ）に示すように、当該自由空間Ｓから上下方向へも光源１２の光が照射され、洗面化粧台１の周囲を明るく照明することが可能である。
【００３４】
更に、副鏡４Ａが取り付けられた扉９を開放した突出位置の状態から主鏡３が取り付けられた扉８を開放（図示略）すると、前記光源１２の光が透光調整具１３を通じて消耗品や小物品等の収納空間２８へ照射され、収納空間２８へのこれらの物品の出し入れが便利である。なお、扉９が閉じられた押込み位置にあるときであっても、主鏡３が取り付けられた扉８を開放すると、透光調整具１３の第二の透光部１５の一部が側面側から露呈し、収納空間２８を照明するので、小物品などの出し入れに便利である。
【００３５】
また、図５及び図７に示す状態において、下方の前記自由空間Ｓから挿入した指先で開度規制装置１６の解除手段１７ａを把持して一方の係合部１９と他方の係合部２０との係合を解放させると、扉９を前記停止位置から図６及び図８に示すように、キャビネット２の開口部２ｂの手前側に透光調整具１３で覆わない開口域を形成する開度規制外位置まで揺動させることができる。そのため、照明装置３４の設置空間２９内に設置された光源１２の点検及び交換のメンテナンス作業や透光調整具１３の裏面側等の清掃作業を行うことが可能である。
【００３６】
ところで、本発明は上述した実施の形態に限定されるものではなく、適宜の変更が可能である。例えば、洗面化粧台１のミラーキャビネットの照明以外にも、収納棚、水屋等へ適用することが可能である。また扉９の表面側には、副鏡４Ａを設けることが好ましいが、副鏡４Ａの代わりに表面化粧板を設けてもよく、何も設けなくてもよい。
【００３７】
（第２の実施の形態）
図９乃至図１０は本発明に係る照明装置４１の第２の実施の形態に係るものである。図９の図（Ａ）は扉９を閉じたときの照明装置４１を示す横断面平面図であり、図（Ｂ）は同状態の開度規制装置４６を拡大して示す側面図、図（Ｃ）は扉９を開度規制位置まで開いた状態を示す横断面平面図、図（Ｄ）は同状態の開度規制装置４６を拡大して示す側面図である。図１０の図（Ａ）は扉９を開度規制位置から開度規制外位置まで更に開けたときの照明装置４１を示す横断面平面図、図（Ｂ）は同状態の開度規制装置４６を拡大して示す側面図である。
【００３８】
本実施例の形態に係る照明装置４１が前記第１の実施の形態に係る照明装置３４と大きく相違する点は、開度規制装置４６であり、開度規制装置４６の弾性板４７を、扉９の揺動中心線を含む仮想平面（本例は垂直面）に沿って一方の係合部を変位（本例は上下移動）させるようにしたことである。扉９，光源１２及び透光調整具１３等は前記第１の実施の形態と実質的に同一であり、本実施例の形態において、前記第１の実施の形態と同一の符号は同一構成部材等を示す。
【００３９】
前記ミラーキャビネット４２は、扉９が取着する被取着体であるミラーキャビネット本体４２ａと各扉９の間に、扉９の開度を規制する開度規制装置４６が設置されている。前記開度規制装置４６は、扉９に一端側が取着されて他端側（自由端側）に一方の係合部４９を有する片持ち状態の弾性板４７と、キャビネット本体４２ａに取着され、一方の係合部４９と係合する他方の係合部５０を有する停止具４８とを備えている。弾性板４７は、プラスチック板やバネ鋼板等の板材から成形され、一方の係合部４９の奥側のフック部４９ａと手前側の山型の突起部４９ｂを一体的に形成してある。他方の係合部５０は、固定ピン又はローラ等から形成され、扉９が閉じているときには、一方の係合部４９と係合することはなく( 図９の図（Ａ）（Ｂ）参照）、開く扉９と共に弾性板４７が移動したときには、一方の係合部４９の手前側の突起部４９ｂに接触して弾性板４７を押圧変形させて突起部４９ｂを乗り越えた後に、奥側のフック部４９ａと係合して扉９を規制位置に停止させる( 同図の図（Ｃ）（Ｄ）参照）。係合状態の一方の係合部４９及び他方の係合部５０は、一方の係合部４９の突起部４９ｂとフック部４９ａの間に他方の係合部５０が位置するため、扉９を開度規制位置に停止維持せることができる。なお、一方の係合部４９は、突起部４９ｂを省略して、フック部４９ａのみとすることも可能である。
【００４０】
照明装置４１の設置空間２９内に設置された光源１２の点検及び交換のメンテナンス作業や透光調整具１３の裏面側等の清掃作業を行うときには、規制位置に停止している弾性板４７を自由空間Ｓ（開いた扉９とキャビネット本体４２ａの開口部４２ｂとの間に形成される空間）から挿入した指先で押圧操作し、弾性板４７の弾性変形で変位する一方の係合部４９のフック部４９ａと他方の係合部５０との係合を解除して非係合状態にし、その後に非係合状態のまま扉９を、キャビネット本体４２ａの開口部４２ｂの手前側に透光調整具１３で覆わない開口域を形成する開度規制外位置まで揺動させることができる（図１０参照）。
【００４１】
メンテナンス作業等が終了したならば、他方の係合部５０に一方の係合部４９が接近するまで扉９を閉じ、自由空間Ｓから挿入した指先で弾性板４７を押圧操作し、弾性板４７の弾性変形で変位する一方の係合部４９のフック部４９ａと他方の係合部５０とを係合可能な状態にしたまま扉９を更に閉じて、押圧操作を解放することで、弾性板４７を弾性復帰させて両係合部４９，５０を係合可能状態にする。
【００４２】
前記開度規制装置４６は、本例の場合には扉９とキャビネット本体４２ａの間の下方に設置してあるが、扉９とキャビネット本体４２ａの間の上方に設置することも可能である。開度規制装置４６は、扉９の揺動中心線を含む仮想平面（本例は垂直面）に沿って弾性変形する弾性板４７を用いることで、弾性板４７を嵩張らずに小型化が可能である。
【００４３】
（第３の実施の形態）
図１１は本発明の第３の実施の形態に係るものであり、図（Ａ）は洗面化粧台５５の正面図、図（Ｂ）は同側面図、図（Ｃ）はミラーキャビネット２の扉９，９を開いたときの側面図である。この実施の形態では、第１の実施形態におけるミラーキャビネット２を洗面台の上に横置きに載置し、上下方向の中央に扉８が位置するようにし、扉８の上下に扉９，９が位置するように配置している。その他の構成並びに作用効果は、前記第１の実施の形態の場合と同じである。
【００４４】
なお、本実施の形態において、扉９の開度を規制する開度規制装置は、第１の実施の形態に係る開度規制装置１６又は第２の実施の形態に係る開度規制装置４６が用いられる。
【図面の簡単な説明】
【００４５】
【図１】本発明の第１の実施の形態に係るものであり、図（Ａ）は洗面化粧台１の正面図、図（Ｂ）は同側面図、図（Ｃ）は中央の扉及び左右の扉を閉じたときのミラーキャビネットの平面図、図（Ｄ）は同開けたときの平面図である。
【図２】本発明の第１の実施の形態に係るものであり、図（Ａ）は各扉を閉じたときのミラーキャビネットの一部を示す横断面平面図であり、図（Ｂ）は扉の中間省略した正面図である。
【図３】本発明の第１の実施の形態に係るものであり、図（Ａ）は扉の横断面平面図、図（Ｂ）は同側面図、図（Ｃ）は同分解した横断面平面図である。
【図４】本発明の第１の実施の形態に係るものであり、図（Ａ）は扉の開度規制装置の停止具の拡大した平面図、図（Ｂ）は同拡大した側面図である。
【図５】本発明の第１の実施の形態に係るものであり、図（Ａ）は扉を開けたときのミラーキャビネットの一部を示す横断面平面図であり、図（Ｂ）は扉の中間省略した正面図である。
【図６】本発明の第１の実施の形態に係るものであり、扉を開度規制位置から開度規制外位置まで更に開けたときのミラーキャビネットの一部を示す横断面平面図である。
【図７】本発明の第１の実施の形態に係るものであり、扉の開度規制を解除操作している状態を示す斜視図である。
【図８】本発明の第１の実施の形態に係るものであり、扉の開度規制を解除した状態を示す一部破断した斜視図である。
【図９】本発明に係る照明装置の第２の実施の形態に係るものであり、図（Ａ）は扉を閉じたときの照明装置を示す横断面平面図であり、図（Ｂ）は同状態の開度規制装置を拡大して示す側面図、図（Ｃ）は扉を開度規制位置まで開いた状態を示す横断面平面図、図（Ｄ）は同状態の開度規制装置を拡大して示す側面図である。
【図１０】本発明の第２の実施の形態に係るものであり、図（Ａ）は扉を開度規制位置から開度規制外位置まで更に開けたときの照明装置を示す横断面平面図、図（Ｂ）は同状態の開度規制装置を拡大して示す側面図である。
【図１１】本発明の第３の実施の形態に係るものであり、図（Ａ）は洗面化粧台の正面図、図（Ｂ）は同側面図、図（Ｃ）はミラーキャビネットの扉を開いたときの側面図である。
【符号の説明】
【００４６】
１…洗面化粧台、２…ミラーキャビネット、２ａ…ミラーキャビネット本体（被取着体）、２ｂ…開口部、３…主鏡、４Ａ，４Ｂ…左右の副鏡、６…洗面キャビネット、７…洗面器、８及び９…扉、９ａ…第一の扉部、９ｂ…第二の扉部、１０…基板部、１１…基板部、１２…光源、１３…透光調整具、１４…第一の透光部、１５…第二の透光部、１６…開度規制装置、１７…弾性板、１７ａ…解除手段、１７ｂ…帯状の板バネ部、１８…停止具、１９…一方の係合部、１９ａ…軸受部、１９ｂ…ローラ、２０…他方の係合部、２０ａ…フック部、２０ｂ…山型の突起部、２１…第一透光部、２２…第二透光部、２３…左側板、２４…スライドレール、２５…洗面化粧台、２６…ミラーキャビネット、２８…収納空間、２９…設置空間、３１…区画板、３２…蝶番、３３…案内具、３４…照明装置、４１…照明装置、４２ａ…キャビネット本体、４２ｂ…開口部、４６…開度規制装置、４７…弾性板、４８…停止具、４９…一方の係合部、４９ａ…フック部、４９ｂ…山型の突起部、５０…他方の係合部、５５…洗面化粧台、Ｓ…自由空間
【図１】
2006200218.tif 000003
【図２】
2006200218.tif 000004
【図３】
2006200218.tif 000005
【図４】
2006200218.tif 000006
【図５】
2006200218.tif 000007
【図６】
2006200218.tif 000008
【図７】
2006200218.tif 000009
【図８】
2006200218.tif 000010
【図９】
2006200218.tif 000011
【図１０】
2006200218.tif 000012
【図１１】
2006200218.tif 000013